(57)【要約】【課題】ベルトのクーラーボックスへの取り付け及び取り外しが容易に行えるようにすることにある。【解決手段】クーラーボックス１にベルト４０を取り付けるための取り付け構造であって、取り付け板部２１と、係止部材３０とを備えている。取り付け板部２１は、クーラーボックス１の左側面２ｂから所定の間隔を隔てて設けられている。係止部材３０は、ベルト４０が取り付け可能なベルト取り付け部３１と、ベルト取り付け部３１から下方に延び左側部２ｂと取り付け板部２１との間に配置可能な基板部３２と、基板部３２の下端に配置され基板部３２から左壁面２ｂの逆側に向かって突出しており取り付け板部２１の下端に係止可能な第１係止部３４と、基板部３２から左壁面２ｂの逆側に向かって突出しており取り付け板部２１の上端に係止可能な第２係止部３５と、基板部３２が左壁面２ｂと取り付け板部２１との間に配置された状態で第１係止部３４が取り付け板部２１に係止するように第１係止部３４を取り付け板部２１側に付勢する付勢機構と、を有する。【選択図】図２
2008263812.tif 000002
【特許請求の範囲】
【請求項１】
クーラーボックスにベルトを取り付けるためのベルト取り付け構造であって、
前記クーラーボックスの壁面から所定の間隔を隔てて設けられた取り付け板と、
前記ベルトが取り付け可能なベルト取り付け部と、前記ベルト取り付け部から下方に延び前記壁面との間に挿入可能な基板部と、前記基板部の下端に配置され前記基板部から前記壁面の逆側に向かって突出しており前記取り付け板の下端に係止可能な第１係止部と、前記基板部から前記壁面の逆側に向かって突出しており前記取り付け板の上端に係止可能な第２係止部と、前記基板部が前記壁面と前記取り付け板との間に配置された状態で前記第１係止部が前記取り付け板に係止するように前記第１係止部を前記取り付け板側に付勢する付勢機構と、を有する係止部材と、
を備えたベルト取り付け構造。
【請求項２】
前記付勢機構は、前記第１係止部と前記第２係止部との間に配置され、前記基板部から前記壁面側に突出するように屈曲した第１板バネ部を有している、請求項１に記載のベルト取り付け構造。
【請求項３】
前記第１板バネ部は、前記壁面と前記取り付け板との間の距離よりも大きく前記基板部から前記壁面側に突出している、請求項２に記載のベルト取り付け構造。
【請求項４】
前記係止部材は、前記第２係止部の近傍に前記クーラーボックスの壁面に接触可能であって、かつ回動中心となりうる支点部をさらに有している、請求項１から３のいずれかに記載のベルト取り付け構造。
【請求項５】
前記基板部を前記壁面と前記取り付け板との間に配置した状態では、前記基板部の前記ベルト取り付け部側が前記第１係止部側よりも前記壁面側に位置するように屈曲しており、
前記支点部は、前記基板部の屈曲している部分よりも前記ベルト取り付け部側に配置されている、
請求項４に記載のベルト取り付け構造。
【請求項６】
前記支点部は、前記基板部の前記第１係止部と前記ベルト取り付け部との間に配置されており、前記基板部から前記壁面側に突出している、請求項５に記載のベルト取り付け構造。
【請求項７】
前記係止部材は、前記第１係止部に接続され前記第２係止部を前記取り付け板側に付勢する第２板バネ部をさらに備え、
前記取り付け板は、前記第２板バネ部を露出させる孔が形成されている、
請求項１から６のいずれかに記載のベルト取り付け構造。
【請求項８】
前記第２係止部は、上側からの押圧によって前記壁面側に移動するように上部にテーパが設けられている、請求項７に記載のベルト取り付け構造。
【請求項９】
前記ベルト取り付け部は、前記ベルトが通過可能な孔を複数有している、請求項１から８のいずれかに記載のベルト取り付け構造。
【発明の詳細な説明】
【技術分野】
【０００１】
本発明は、クーラーボックスにベルトを取り付けるためのベルト取り付け構造に関する。
【背景技術】
【０００２】
魚釣り等に使用されるクーラーボックスは、上部に開口を有し内部に水や魚などを収納可能なクーラーボックス本体と、クーラーボックス本体に開閉自在に装着された蓋部材とを備えている。このようなクーラーボックスでは、内部に水や魚などを収納する際には、蓋部材を開き、クーラーボックス本体の開口から水や魚等を内部に収納する。内部に水や魚などを収納した後、蓋部材を閉じる。
【０００３】
ここで、このようなクーラーボックスには、運搬用のベルトを取り付けられたものが存在する（特許文献１参照）。
【特許文献１】実開平０５−２０５７０号公報
【発明の開示】
【発明が解決しようとする課題】
【０００４】
特許文献１に記載のクーラーボックスでは、クーラーボックス本体の側壁にベルトの固定部を設け、ベルトが取り外し出来ないようになっている。しかし、このような構成では、ベルトを使用しない場合には不必要なものが取り付けられているために不便である。また、ベルトの取り外しが可能なように、クーラーボックスの本体にベルトが貫通可能な孔を形成し、この孔にベルトを貫通させ、孔に係止可能な係止部材又は結び目をベルトの先端に設けることが考えられる。しかし、この場合ベルトを外すためにはベルトを係止部材から取り外す又は結び目をほどく必要があり、容易にベルトを取り外すことが出来ない。
【０００５】
本発明の課題は、ベルトのクーラーボックスへの取り付け及び取り外しが容易に行えるようにすることにある。
【課題を解決するための手段】
【０００６】
請求項１に係るベルト取り付け構造は、クーラーボックスにベルトを取り付けるための取り付け構造であって、取り付け板と、係止部材とを備えている。取り付け板は、クーラーボックスの壁面から所定の間隔を隔てて設けられている。係止部材は、ベルトが取り付け可能なベルト取り付け部と、ベルト取り付け部から下方に延び壁面と取り付け板との間に配置可能な基板部と、基板部の下端に配置され基板部から壁面の逆側に向かって突出しており取り付け板の下端に係止可能な第１係止部と、基板部から壁面の逆側に向かって突出しており取り付け板の上端に係止可能な第２係止部と、基板部が壁面と取り付け板との間に配置された状態で第１係止部が取り付け板に係止するように第１係止部を取り付け板側に付勢する付勢機構と、を有する。
【０００７】
この取り付け構造では、係止部材のベルト取り付け部にベルトを取り付け、基板部を壁面と取り付け板との間に挿入する。そして、第１係止部及び第２係止部を取り付け板の上端及び下端に係止させる。このとき、付勢機構によって第１係止部は取り付け板側に付勢される。このようにして、取り付け板に係止部材を取り付けることによって、クーラーボックスにベルトを取り付ける。また、ベルトをクーラーボックスから取り外す際には、第２係止部材の係止を解除し、付勢機構の付勢力に抗して、第１係止部の係止を解除させる。そして、取り付け板から係止部材を取り外す。
【０００８】
ここでは、取り付け板に第１係止部及び第２係止部を係止させることで、取り付け板に係止部材を取り付けることができ、第１係止部及び第２係止部の係止を解除することで、係止部材を取り付け板から取り外すことができる。このために、ベルトを係止部材に取り付けた状態で係止部材を着脱することができ、ベルトのクーラーボックスへの着脱が容易になる。また、付勢部材によって第１係止部が付勢されているために、第１係止部を取り付け板に係止させやすくなる。
【０００９】
請求項２に係るベルト取り付け構造は、請求項１に記載のベルト取り付け構造であって、付勢機構は、第１係止部と第２係止部との間に配置され、基板部から壁面側に突出するように屈曲した第１板バネ部を有している。
【００１０】
ここでは、第１板バネ部によって第１係止部及び第２係止部が取り付け板側に付勢される。
【００１１】
請求項３に係るベルト取り付け構造は、請求項１または２に記載のベルト取り付け構造であって、第１板バネ部は、基板部が壁面と取り付け板との間に配置された状態において壁面と取り付け板との間の距離よりも大きく基板部から壁面側に突出している。
【００１２】
ここでは、係止部材をクーラーボックスの壁面と取り付け板との間に配置すると、第１板バネ部が弾性変形させられ、第１係止部及び第２係止部が取り付け板側に付勢させられる。
【００１３】
請求項４に係るベルト取り付け構造は、請求項１から３のいずれかに記載のベルト取り付け構造であって、係止部材は、第２係止部の近傍にクーラーボックスの壁面に接触可能であって、かつ回動中心となりうる支点部をさらに有している。
【００１４】
ここでは、支点部を中心として回動させることで第１係止部を取り付け板の下端側に係止させやすくなる。
【００１５】
請求項５に係るベルト取り付け構造は、請求項４に記載のベルト取り付け構造であって、係止部材を壁面と取り付け板との間に配置した状態では、基板部のベルト取り付け部側が第１係止部側よりも壁面側に位置するように屈曲している。支点部は、基板部の屈曲している部分よりもベルト取り付け部側に配置されている。
【００１６】
ここでは、支点部を中心として回動させやすくなる。
【００１７】
請求項６に係るベルト取り付け構造は、請求項５に記載のベルト取り付け構造であって、支点部は、基板部の第１係止部とベルト取り付け部との間に配置されており、基板部から壁面側に突出している。
【００１８】
ここでは、支点部をクーラーボックスの壁面に接触させやすくなる。
【００１９】
請求項７に係るベルト取り付け構造は、請求項１から６のいずれかに記載のベルト取り付け構造であって、係止部材は、第１係止部に接続され第２係止部を取り付け板側に付勢する第２板バネ部をさらに備えている。取り付け板は、第２板バネ部を露出させる孔が形成されている。
【００２０】
ここでは、孔から第２板バネ部を押圧することで、第２板バネ部の付勢を解除することができる。
【００２１】
請求項８に係るベルト取り付け構造は、請求項７に記載のベルト取り付け構造であって、第２係止部は、上側からの押圧によって壁面側に移動するように上部にテーパが設けられている。
【００２２】
ここでは、第２係止部を孔の上縁に接触させながら、係止部材を上側に移動させることで、第２係止部と孔の上縁との係止を解除させることが出来る。
【００２３】
請求項９に係るベルト取り付け構造は、請求項１から８のいずれかに記載のベルト取り付け構造であって、ベルト取り付け部は、ベルトが通過可能な孔を複数有している。
【００２４】
ここでは、ベルトをベルト取り付け部に取り付けやすくなる。
【発明の効果】
【００２５】
本発明では、ベルトのクーラーボックスへの取り付け及び取り外しが容易に行えるようにすることができる。
【発明を実施するための最良の形態】
【００２６】
１．構成
本発明の一実施形態に係るベルト４０の取り付け構造によってベルト４０（図６及び図７参照）が取り付け可能なクーラーボックス１について説明する。図１に示すように、クーラーボックス１は、本体部２と、蓋部３と、フック４とを有している。このクーラーボックス１にベルト４０の取り付け構造によってベルト４０が取り付け可能である。このベルト４０の取り付け構造は後に詳述する。
【００２７】
本体部２は、上部に開口を有する略直方体の部材であって、内部に魚等を収納可能な空間を有している。また、本体部２は、魚等を保存するものであり断熱効果を必要とするので、表面壁となるポリプロピレン製の部材の間に発砲ポリウレタン製断熱材を内包する構造である。さらに本体部２は、略長方形状の底（図示せず）と、底の端部からそれぞれ底に略直交する方向に延びるように形成された側面２ａ、２ｂ、２ｃ、２ｄを有している。
【００２８】
蓋部３は、本体部２の開口を塞ぐための部材であって、蝶番（図示せず）によって開閉可能なように本体部２の上部に設けられている。また、蓋部３は、開口とほぼ同じ形状の板状部材である。
【００２９】
フック４は、蓋部３を本体部２に密閉し固定する部材であって、本体部２及び蓋部３の双方に設けられている。また、フック４は、ポリプロピレンによって形成されている。フック４は別個形成された後に本体部２及び蓋部３にはめ込み接着されて固定されている。
【００３０】
このように構成されたクーラーボックス１では、魚等の保冷使用とする物を氷等の低温物と共に内部に収納して使用される。クーラーボックス１の内部において冷気は底部付近にたまりやすい。ここで、本体部２の前側面２ａ及び背側面２ｃの底部付近が厚くなっており、断熱材が十分に配置されているので、底部付近の断熱を十分に高めることができ保冷効果が向上する。また、冷媒として氷を使用した場合、氷が溶けることにより生じる水は本体部内部の底面付近に溜まる。この溜まった水の温度上昇も効果的に抑えられるので、保冷効果が十分に向上する。さらに、全体として軽量構造とすることができる。
【００３１】
さらにまた、本体部２は、クーラーボックス１の外部方向に向かって厚みが増すようになっているので、内部の容量を減少させることもない。さらに、持ち運び時に障害物にぶつかって破損しやすい側面２ａ、２ｂ、２ｃ、２ｄ及び底部を保護することも可能である。
【００３２】
２．ベルトの取り付け構造
ベルト４０の取り付け構造は、クーラーボックス１にベルト４０を取り付ける為の構造であって、取り付け部材２０と、係止部材３０とを備えている。
【００３３】
取り付け部材２０は、図１に示すように、クーラーボックス１の本体部２の右側面２ｄ及び左側面２ｂに配置された部材であって、取り付け板部２１（取り付け板）と、接続部２２とを有している。以下、左側面２ｂに設けられた取り付け構造について説明するが、右側面２ｄにも同様の取り付け構造が設けられている。
【００３４】
取り付け板部２１は、クーラーボックス１の右側面２ｄ及び左側面２ｂ（壁面）に所定の間隔を隔てて設けられた部材であって、長方形状の部材である。また、取り付け板部２１は、略中央に円形の孔２１ａを有している。
【００３５】
接続部２２は、取り付け板部２１とクーラーボックス１の左側面２ｂとを接続するための部材であって、取り付け板部２１及びクーラーボックス１の左側面２ｂに略直交するように設けられている。
【００３６】
係止部材３０は、取り付け板部２１と互いに係止することで、クーラーボックス１にベルト４０を取り付けるための部材である。この係止部材３０は、図２及び図３に示すように、ベルト取り付け部３１と、基板部３２と、支点部３３と、第１係止部３４と、第２係止部３５と、第１板バネ部３６と、第２板バネ部３７と、を有している。
【００３７】
ベルト取り付け部３１は、ベルト４０を取り付け可能な部分であって、板状の部分である。また、ベルト取り付け部３１は、ベルト４０が通過可能な孔３１ａが長手方向に並べて３つ形成されている。
【００３８】
基板部３２は、ベルト取り付け部３１と第１係止部３４とを接続する部分であって、長方形の板状の部分である。また、基板部３２は、長手方向略中央部分で段差３２ａが形成されており、係止部材３０を取り付け板部３１とクーラーボックス１の左側面２ｂとの間に配置した状態でベルト取り付け部３１が第１係止部３４側よりもクーラーボックス１の左側面２ｂ側に位置するように形成されている。
【００３９】
支点部３３は、ベルト取り付け部３１の近傍に配置されており、基板部３２に設けられた部分である。また、支点部３３は、基板部３２を左側面２ｂと取り付け板３１との間に配置した状態で基板部３２から左側面２ｂ側に突出する部分であって、略半円柱状の部分３３ａと、略半円柱状の部分３３ａとベルト取り付け部３１とを滑らかにつなぐ坂状の部分３３ｂとを有している。このために、支点部３３をクーラーボックス１の左側面２ｂに接触させた状態から基板部３２等を回動させることが出来る。
【００４０】
第１係止部３４は、取り付け板部２１の下端に係止可能な部分であって、取り付け板部２１の下端を覆うことが出来るようにフック状の部分である。また、第１係止部３４は、基板部３２の下端に設けられた部分であって、基板部３２に略直交する方向（左側面２ｂが配置された方向の逆方向）に向かって突出するように形成されている。
【００４１】
第２係止部３５は、取り付け板部２１の上端に係止可能な部分であって、基板部３２に対して略直交する方向（左側面２ｂが配置された方向の逆方向）に突出するように形成されている。また、第２係止部３５は、上部に上側からの押圧によってクーラーボックス１の左側面２ｂ側に移動するようにテーパ３５ａが形成されている。このテーパ３５ａは、上方にむかって先細りになるように形成されている。
【００４２】
第１板バネ部３６は、第１係止部３４と第２係止部３５との間に配置され、基板部３２からクーラーボックス１の左側面２ｂ側に突出するように屈曲した部分である。また、第１板バネ部３６は、左側面２ｂと取り付け板部２１との間の距離よりも大きく基板部３２から左壁面２ｂ側に突出している。さらに、第１板バネ部３６は、係止部材３０を取り付け板部３１とクーラーボックス１の左側面２ｂとの間に配置した状態でクーラーボックス１の左側面２ｂに接触して第１係止部３４及び第２係止部３５をクーラーボックス１の左側面２ｂから離れる方向に付勢する。この第１板バネ部３６は、第２板バネ部３７上に設けられた略「Ｕ」字状のスリットによって形成されており、弾性変形可能な部分である。
【００４３】
第２板バネ部３７は、第２係止部３５から下方に延びるように形成されており、第２係止部３５が第１係止部３４よりもクーラーボックス１の左側面２ｂ側に位置している場合にクーラーボックス１の左側面２ｂから離れる方向に第２係止部３５を付勢する部分である。この第２板バネ部３７は、基板部３２上に設けられた略「Ｕ」字状のスリットによって形成されており、弾性変形可能な部分である。また、第２板バネ部３７は、取り付け板部２１の円形の孔２１ａによって外部に露出している。このために、円形の孔２１ａから第２板バネ部３７を押圧されると、第２係止部３５は第２板バネ部３７の付勢力に抗して、クーラーボックス１の左側面２ｂ側に移動する。
【００４４】
なお、第１板バネ部３６及び第２板バネ部３７によって付勢機構が構成されている。ここで、係止部材３０を取り付け板部２１とクーラーボックス１の左側面２ｂとの間に配置した状態で第１板バネ部３６によって第１係止部３４及び第２係止部３５が取り付け板部２１に係止するように左側面２ｂの逆方向に付勢されている。そして、第１係止部３４が取り付け板２１に係止している状態で第２板バネ部３７は第２係止部３５を取り付け板２１に係止させるように付勢している。
【００４５】
３．動作
クーラーボックス１に水や魚等を収納する際の動作について説明する。
【００４６】
蓋部３を開き本体部２の開口が露出する状態にする。そして、開口から水や魚等を本体部２の内部に設けられた空間に収納し、蓋部３を回動させて、蓋部３によって開口を塞ぐ。
【００４７】
次に、クーラーボックス１にベルトを取り付ける場合及ベルトが取り付けられたクーラーボックス１からベルトを取り外す場合の動作について説明する。
【００４８】
クーラーボックス１にベルト４０を取り付ける際には、先ず係止部材３０のベルト取り付け部３１にベルトを取り付ける。そして、図４に示すように、係止部材３０を上側からクーラーボックス１の左側面２ｂと取り付け板部２１との間に挿入する。このとき、図５に示すように、支点部３３をクーラーボックス１の左側面２ｂに接触させ、係止部材３０を押し下げると、第２係止部３５が取り付け板２１の上部に接触し係止部材の移動が止まる。そして、第２係止部３５を押圧することで第２係止部３５と取り付け板２１との係止を解除し、係止部材３０を押し下げ第２係止部３５を孔２１ａ内に挿入させる（図８参照）。このとき、第１板バネ部３６によって第１係止部３４が取り付け板部２１側に付勢されている。このような状態から、係止部材３０を上側に引き上げると、第２係止部３５は、円形の孔２１ａの上側縁に押圧され、テーパ３５ａによってクーラーボックス１の左側面２ｂ側に移動させられる。さらに、係止部材３０を上側に引き上げると、図６及び図７に示すように、第１係止部３４が取り付け板部２１の下端に係止し、同時に第１板バネ部３６及び第２板バネ部３７に付勢されて第２係止部３５が取り付け板部２１に係止する。
【００４９】
取り付け板部２１に係止部材３０が取り付けられた状態から係止部材３０を取り外す際には、第２係止部３５をクーラーボックス１の左側面２ｂ側に押圧し、第２係止部３５と取り付け板２１との間の係止を解除する。または、円形の孔２１ａを通して第２板バネ部３７を押圧する。第２板バネ部３７を押圧すると、第２係止部３５がクーラーボックス１の左側面２ｂ側に移動し、取り付け板部２１の上端での係止が解除される。なお、第１係止部３４の係止が解除される位置まで第１係止部３４をクーラーボックス１の左側面２ｂ側に押圧し、第２係止部３５が孔２１ａに入るまで押し下げることもできる。そして、第２係止部３５と取り付け板２１との係止を解除した後に、支点部３３を中心として回動させることで、第１係止部３４の取り付け板部２１との係止が解除される。この状態から係止部材３０を上側に引き抜くことで、ベルト４０を取り外すことが出来る。
【００５０】
ここでは、係止部材３０を取り付け板部２１に取り付けることができ、このため、クーラーボックス１にベルトを容易に取り付けることが出来る。そして、円形の孔２１ａを通って第２板バネ部３７を押圧することで係止部材３０の取り付け板部２１への取り付けを解除できるためにクーラーボックス１に取り付けたベルト４０を容易に取り外すことができる。
【００５１】
４．他の実施形態
（ａ）上記実施形態の係止部材ではなく、図９に示すように、取り付け板部２１の下端に係止可能な第３係止部６１と、取り付け板部２１の上端に係止可能な第４係止部６２と、第３係止部６１と第４係止部６２とを接続し、第３係止部６１を取り付け板部２１の下端に係止させた状態で第４係止部６２を取り付け板部２１側に付勢する第３板バネ部６３と、第３板バネ部６３から延びるように形成されベルト４０を取り付け可能な第２ベルト取り付け部６４と、を備えた第２係止部材６０であっても良い。この場合、構成が単純で製造しやすくなる。
【００５２】
（ｂ）また、上記実施形態では、第１係止部３４及び第２係止部３５を第１及び第２板バネ部３６，３７によって付勢したが、本発明はこれに限られず、コイルスプリングや巻きバネなどの他の付勢部材であっても良い。
【００５３】
（ｃ）さらに、上記実施形態では、ベルト取り付け部３１は３つの孔３１ａを有しているものについて説明したが、本発明はこれに限られずに、孔が２つ又は４つであっても良い。
【図面の簡単な説明】
【００５４】
【図１】クーラーボックス本体を示す図。
【図２】係止部材の全体正面図。
【図３】係止部材の全体側面図。
【図４】係止部材を取り付け板に取り付ける際の図。
【図５】係止部材を取り付け板に取り付ける際の図。
【図６】係止部材を取り付け板に取り付けた状態を示す側面図。
【図７】係止部材を取り付け板に取り付けた状態を示す断面図
【図８】第２係止部が取り付け板部の孔の上縁に係止している状態を示す図。
【図９】他の実施形態の係止部材の全体図。
【符号の説明】
【００５５】
１  クーラーボックス
２ｂ  左側面（壁面）
２１  取り付け板部（取り付け板）
２１ａ  円形の孔
３０  係止部材
３１  ベルト取り付け部
３１ａ  孔
３２  基板部
３３  支点部
３４  第１係止部
３５  第２係止部
３５ａ  テーパ
３６  第１板バネ部
３７  第２板バネ部
４０  ベルト
６０  第２係止部材
６１  第３係止部
６２  第４係止部
６３  第３板バネ部
６４  第２ベルト取り付け部
【図１】
2008263812.tif 000003
【図２】
2008263812.tif 000004
【図３】
2008263812.tif 000005
【図４】
2008263812.tif 000006
【図５】
2008263812.tif 000007
【図６】
2008263812.tif 000008
【図７】
2008263812.tif 000009
【図８】
2008263812.tif 000010
【図９】
2008263812.tif 000011